(57)【要約】      （修正有）【課題】収容カップを安定した状態で持ち運ぶことができるカップホルダーを提供する。【解決手段】カップホルダー１は、カップが挿入される挿入孔が形成されたカップ保持部と、カップ保持部の左右方向の側縁から延出し、組み立てられた状態において端部が使用者に把持される一対のホールド部２０と、を備え、一対のホールド部２０には、それぞれ前後方向に延びる切り込み２２が形成され、一方のホールド部２０に形成された切り込みは、第２折り曲げ線３２上において、前方側側縁から略中央まで延び、他方のホールド部２０に形成された切り込みは、第１折り曲げ線３１上において、後方側側縁から略中央まで延び、一対のホールド部２０が端部から下方に曲げられ、互いの切り込みに互いに挿入されてから上方に曲げられ、互いの端部がカップ保持部の上方で合わせられている。【選択図】図３
0003203356.tif 000002
【実用新案登録請求の範囲】
【請求項１】
カップを持ち運ぶときに使用され、展開した状態において平板形状に形成され、組み立てられた状態で前記カップを収容するカップホルダーであって、
前記カップが挿入される挿入孔が形成されたカップ保持部と、
前記カップ保持部の左右方向の側縁から延出し、組み立てられた状態において端部が使用者に把持される一対のホールド部と、を備え、
一対の前記ホールド部には、前記カップ保持部との境に左右方向と直交する前後方向に延びる第１折り曲げ線と、前記第１折り曲げ線から所定間隔を空けて前後方向に延びる第２折り曲げ線と、がそれぞれ形成され、
前記第１折り曲げ線及び前記第２折り曲げ線の間には、組み立てられた状態において、底部が形成されており、
一対の前記ホールド部には、それぞれ前後方向に延びる切り込みが形成されており、
一方の前記ホールド部に形成された前記切り込みは、前記第２折り曲げ線上において、前方側側縁から略中央まで延びており、
他方の前記ホールド部に形成された前記切り込みは、前記第１折り曲げ線上において、後方側側縁から略中央まで延びており、
一対の前記ホールド部が前記端部から下方に曲げられ、互いの切り込みに互いに挿入されてから上方に曲げられており、互いの前記端部が前記カップ保持部の上方で合わせられているカップホルダー。
【請求項２】
一対の前記ホールド部には、端部近傍に、使用者の指が挿入可能な把持孔が、それぞれ形成されており、
他方の前記ホールド部は、前記把持孔を切り抜くことで形成され、一端が前記把持孔の縁に連なる係合片を有し、
一方の前記ホールド部は、前記把持孔近傍に、他方の前記ホールド部の前記係合片が係合可能な係合部を有する請求項１に記載のカップホルダー。
【請求項３】
一対の前記ホールド部には、左右方向に延びる一対の辺において、互いに近接する方向に膨出する欠き込みが、それぞれ形成されている請求項１又は２に記載のカップホルダー。
【考案の詳細な説明】
【技術分野】
【０００１】
本考案は、カップホルダーに関し、詳しくは、カップを持ち運ぶときに使用され、展開した状態において平板形状に形成され、組み立てられた状態でカップを収容するカップホルダーに関する。
【背景技術】
【０００２】
従来、カップを収容し、収容したカップを持ち運ぶときに使用されるカップホルダーは、カップが装着される装着孔が形成された平板に、使用者に把持される把持部が設けられている。
このようなカップホルダーとして、カップを着脱可能に装着する装着孔を有する平板からなるホルダー本体の対向する辺に一対の連続部を突設するとともに、これら連続部の側縁にそれぞれ連続する取っ手を設け、該取っ手と連続部との境界部分に折曲線を設けたカップホルダーが提案されている（特許文献１）。
このカップホルダーによれば、一対の取っ手を折り曲げて、それぞれの先端を突き合わせた状態とすることにより、片手で簡単にカップを装着したホルダー本体を把持できる。
【先行技術文献】
【特許文献】
【０００３】
【特許文献１】特開２００５−７４０８７号公報
【考案の概要】
【考案が解決しようとする課題】
【０００４】
しかしながら、実用新案登録文献１のカップホルダーは、収容したカップを持ち運ぶとき、装着孔にカップが装着されたホルダー本体を剥き出しで、一対の取っ手の端部で吊り下げている状態である。このため、カップが装着されたホルダー本体が持ち運ぶときに不安定な状態であった。
【０００５】
本考案は、収容したカップを安定した状態で持ち運ぶことができるカップホルダーを提供することを目的とする。
【課題を解決するための手段】
【０００６】
（１）  カップを持ち運ぶときに使用され、展開した状態において平板形状に形成され、組み立てられた状態で前記カップを収容するカップホルダーであって、
前記カップが挿入される挿入孔が形成されたカップ保持部と、
前記カップ保持部の左右方向の側縁から延出し、組み立てられた状態において端部が使用者に把持される一対のホールド部と、を備え、
一対の前記ホールド部には、前記カップ保持部との境に左右方向と直交する前後方向に延びる第１折り曲げ線と、前記第１折り曲げ線から所定間隔を空けて前後方向に延びる第２折り曲げ線と、がそれぞれ形成され、
前記第１折り曲げ線及び前記第２折り曲げ線の間には、組み立てられた状態において、底部が形成されており、
一対の前記ホールド部には、それぞれ前後方向に延びる切り込みが形成されており、
一方の前記ホールド部に形成された前記切り込みは、前記第２折り曲げ線上において、前方側側縁から略中央まで延びており、
他方の前記ホールド部に形成された前記切り込みは、前記第１折り曲げ線上において、後方側側縁から略中央まで延びており、
一対の前記ホールド部が前記端部から下方に曲げられ、互いの切り込みに互いに挿入されてから上方に曲げられており、互いの前記端部が前記カップ保持部の上方で合わせられているカップホルダー。
【０００７】
（１）の考案によれば、カップホルダーは、カップを持ち運ぶときに使用され、展開した状態において平板形状に形成され、組み立てられた状態でカップを収容し、カップ保持部と、一対のホールド部と、を備える。
カップ保持部は、カップが挿入される挿入孔が形成されている。
一対のホールド部は、カップ保持部の左右方向の側縁から延出し、組み立てられた状態において端部が使用者に把持される。
一対のホールド部には、カップ保持部との境に左右方向と直交する前後方向に延びる第１折り曲げ線と、第１折り曲げ線から所定間隔を空けて前後方向に延びる第２折り曲げ線と、がそれぞれ形成されている。
第１折り曲げ線及び第２折り曲げ線の間には、組み立てられた状態において、底部が形成される。
一対のホールド部には、それぞれ前後方向に延びる切り込みが形成されている。
一方のホールド部に形成された切り込みは、第２折り曲げ線上において、前方側側縁から略中央まで延びている。また、他方のホールド部に形成された切り込みは、第１折り曲げ線上において、後方側側縁から略中央まで延びている。
カップホルダーは、一対のホールド部が端部から下方に曲げられ、互いの切り込みに互いに挿入されてから上方に曲げられており、互いの端部がカップ保持部の上方で合わせられている。
【０００８】
これにより、組み立てられた状態において、挿入孔にカップが挿入されたカップ保持部は、左右方向側面が一対のホールド部により支持されている。そして、使用者は、挿入孔にカップが挿入されたカップ保持部の上方で合わせられた一対のホールド部の端部を把持して、カップを持ち運ぶ。
【０００９】
よって、カップを持ち運ぶときに、カップが挿入されたカップ保持部の左右側面を一対のホールド部により支持することで、カップ保持部が安定する。
したがって、収容したカップを安定した状態で持ち運ぶことができるカップホルダーを提供できる。
【００１０】
また、他方のホールド部の切り込みはカップ保持部との境の第１折り曲げ線上に形成し、一方のホールド部の切り込みは第１折り曲げ線から所定間隔を空けて前後方向に延びる第２折り曲げ線上に形成し、第１折り曲げ線と第２折り曲げ線との間に、組み立てられた状態において、底部を形成する。
これにより、切り込みにより構造上弱くなる、他方のホールド部と一方のホールド部との接合部分を、底部の端部に寄せることができるので、収容したカップがより安定する。
【００１１】
（２）  一対の前記ホールド部には、端部近傍に、使用者の指が挿入可能な把持孔が、それぞれ形成されており、
他方の前記ホールド部は、前記把持孔を切り抜くことで形成され、一端が前記把持孔の縁に連なる係合片を有し、
一方の前記ホールド部は、前記把持孔近傍に、他方の前記ホールド部の前記係合片が係合可能な係合部を有する（１）に記載のカップホルダー。
【００１２】
（２）の考案によれば、組み立てられた状態において、他方のホールド部の係合片と、一方のホールド部の係合部と、を係合させることで、一対のホールド部が一体的になり、安定性が向上する。
したがって、収容したカップをより安定した状態で持ち運ぶことができるカップホルダーを提供できる。
【００１３】
（３）  一対の前記ホールド部には、左右方向に延びる一対の辺において、互いに近接する方向に膨出する欠き込みが、それぞれ形成されている（１）又は（２）に記載のカップホルダー。
【００１４】
（３）の考案によれば、組み立てられ、カップを収容した状態において、一対のホールド部の欠き込みの間から、カップの一部が露出するので、収容したカップを取り出し易くなる。
したがって、収容したカップをより安定した状態で持ち運ぶことができ、収容したカップの取り出しが容易なカップホルダーを提供できる。
【考案の効果】
【００１５】
本考案によれば、収容したカップを安定した状態で持ち運ぶことができるカップホルダーを提供できる。
【図面の簡単な説明】
【００１６】
【図１】本考案の実施形態に係るカップホルダー１の斜視図である。
【図２】前記実施形態に係るカップホルダー１の展開図である。
【図３】カップホルダー１の組み立て手順を説明する図である。
【図４】カップホルダー１の組み立て手順を説明する図である。
【考案を実施するための形態】
【００１７】
以下、本考案の実施形態を図面に基づいて説明する。以下に説明において、同様に構成には、同一の符号を付し、その説明を省略又は簡略する。
図１は、本考案の実施形態に係るカップホルダー１の斜視図である。
カップホルダー１は、カップ１００を持ち運ぶときに使用され、展開した状態において平板形状に形成され、組み立てられた状態でカップ１００を収容し、カップ保持部１０と、一対のホールド部２０と、を備える。
カップホルダー１は、１枚の板状体を折り屈曲させることで形成されている。なお、本実施形態において、カップホルダー１は、１層の紙製であるが、これに限らず、カップ１００を収容できれば、ダンボール、樹脂等の任意の素材で形成してもよい。
【００１８】
図２は、前記実施形態に係るカップホルダー１の展開図である。
カップホルダー１は、展開した状態において、左右方向に長辺を有する長方形形状に形成され、中央部分に形成されたカップ保持部１０と、カップ保持部１０の左右方向の側縁から延出する一対のホールド部２０と、を備える。
なお、本実施形態において、カップホルダー１は、展開した状態において、左右方向に長辺を有する略長方形形状で形成したが、これに限らず、左右方向に長径を有する長径を有する楕円形状等の任意の形状に形成してもよい。
【００１９】
カップ保持部１０は、四角形状に形成され、カップ１００（図１参照）が挿入される挿入孔１１が形成されている。
挿入孔１１は、カップ保持部１０の中心点Ｃを通り、前後方向に延びる中心線ＣＬ上に中心が配置された略楕円形状に形成されている。本実施形態において、挿入孔１１は、中心線ＣＬ上に所定間隔を空けて２つ形成されているが、これに限らず、１つ又は所定間隔毎に３つ、４つ等の任意の箇所数設けることができる。
カップ保持部１０は、組み立てられた状態においては、中心線ＣＬが最上位置に配置された上方に膨出する円弧形状に形成される。なお、カップ保持部１０は、組み立てられた状態においては、円弧形状に限らず、中心線ＣＬが最上位置に配置されれば、例えば、挿入孔１１が形成された天板部と天板部の左右端部から下方に延びる一対に壁部とから形成されるコの字の開放部を下方に向けた形状等の任意の形状とすることができる。
【００２０】
カップ保持部１０と一対のホールド部２０との境には、左右方向と直交する方向である前後方向に延びる第１折り曲げ線３１が形成されている。
【００２１】
一対のホールド部２０において、右側のホールド部２０はカップ保持部１０の右側側縁から延出し略四角形状に形成され、左側のホールド部２０はカップ保持部１０の左側側縁から延出し略四角形状に形成されている。
一対のホールド部２０には、左右方向に延びる一対の辺の中央近傍において、互いに近接する方向に膨出する円弧形状の欠き込み２０ａが、それぞれ形成されている。
なお、本実施形態において、ホールド部２０は、略四角形状に形成されているが、カップ保持部１０をホールドできれば、任意の形状とすることができる。また、欠き込み２０ａは、円弧形状に形成されているが、組み立てられた状態において、収容されたカップの一部を露出可能な形状であれば、任意の形状とすることができる。
【００２２】
左側のホールド部２０には、左側端部近傍に、組み立てられた状態において使用者の指が挿入される楕円形状の把持孔２１が形成されている。
また、左側のホールド部２０は、把持孔２１を切り抜くことで形成され、一端が把持孔２１の縁に連なる係合片２１ａを有する。
【００２３】
一方、右側のホールド部２０には、右側端部近傍に、組み立てられた状態において使用者の指が挿入される楕円形状の把持孔２１が形成されている。
また、右側のホールド部２０は、把持孔２１近傍に、左側のホールド部２０の係合片２１ａが係合可能な係合部２１ｂを有する。
【００２４】
右側のホールド部２０には、左側端部側に、前後方向に延びる第２折り曲げ線３２が形成されている。
一方、左側のホールド部２０には、右側端部側に、前後方向に延びる第２折り曲げ線３２が形成されている。
【００２５】
一対のホールド部２０には、第１折り曲げ線３１又は第２折り曲げ線３２の間に、それぞれ前後方向に延びる切り込み２２が形成されている。
右側のホールド部２０に形成された切り込み２２は、第２折り曲げ線３２上において、前方側側縁から略中央まで延びる。また、左側のホールド部２０に形成された切り込み２２は、第１折り曲げ線３１上において、後方側側縁から略中央まで延びる。
即ち、第２折り曲げ線３２は、切り込み２２に対し、カップ保持部１０と反対側において前後方向に延びている。
【００２６】
一対のホールド部２０は、左右方向の端部から下方に曲げられ、第１折り曲げ線３１が山折りされ、互いの切り込み２２に互いに挿入されてから、第２折り曲げ線３２が山折りされ、左右方向の端部から上方に曲げられる。これにより、右側のホールド部２０と左側のホールド部２０との第２折り曲げ線３２の間に底部が形成される。このとき、一対のホールド部２０の切り込み２２が互いに挿入された接合部分は、底部の左端に配置される。
【００２７】
次に、カップホルダー１の組み立て手順について説明する。
図３及び図４は、カップホルダー１の組み立て手順を説明する図である。
使用者は、図２に示す展開した状態から、一対のホールド部２０の左右方向の端部を掴み、中心線ＣＬを頂点として下方に曲げ、図３に示す状態とする。
【００２８】
次に、使用者は、第１折り曲げ線３１を山折りし、一対のホールド部２０の互いの切り込み２２に互いを挿入し、図４に示す状態とする。
これにより、カップ保持部１０は、上方に挿入孔１１が配置され、前方から視て上方に膨出する円弧形状となる。使用者は、この状態において、挿入孔１１にカップ１００を挿入する。
【００２９】
次に、使用者は、第２折り曲げ線３２を山折りし、一対のホールド部２０を左右方向の端部から上方に曲げ、互いの端部近傍に形成された把持孔２１をカップ保持部１０の上方で合わせ、左側のホールド部２０の係合片２１ａを、右側のホールド部２０の係合部２１ｂに係合させ、図１に示す状態とする。
これにより、カップホルダー１の組み立てが完了する。
そして、使用者は、一対のホールド部２０の欠き込み２０ａから、その一部が露出するカップ１００を掴むことで、カップホルダー１からカップ１００を取り出すことができる。
【００３０】
次に、本実施形態に係るカップホルダー１の作用効果について説明する。
カップホルダー１によれば、組み立てられた状態において、挿入孔１１にカップ１００が挿入されたカップ保持部１０は、左右方向側面が一対のホールド部２０によりにより支持されている。そして、使用者は、挿入孔１１にカップ１００が挿入されたカップ保持部１０の上方で合わせられた一対のホールド部２０の端部を把持して、カップ１００を持ち運ぶ。
【００３１】
これにより、カップ１００を持ち運ぶときに、カップ１００が挿入されたカップ保持部１０の左右側面が一対のホールド部２０により支持されているので、カップ保持部１０が安定する。
したがって、収容したカップを安定した状態で持ち運ぶことができるカップホルダー１を提供できる。
【００３２】
また、他方のホールド部２０の切り込み２２はカップ保持部１０との境の第１折り曲げ線３１上に形成し、一方のホールド部２０の切り込み２２は第１折り曲げ線３１から所定間隔を空けて前後方向に延びる第２折り曲げ線３２上に形成し、第１折り曲げ線３１と第２折り曲げ線３２との間に、組み立てられた状態において、底部を形成する。
これにより、切り込み２２により構造上弱くなる、他方のホールド部２０と一方のホールド部２０との接合部分を、底部の端部に寄せることができるので、収容したカップ１００がより安定する。
【００３３】
また、組み立てられた状態において、他方のホールド部２０の係合片２１ａと、一方のホールド部２０の係合部２１ｂと、を係合させることで、一対のホールド部２０が一体的になり、安定性が向上する。
したがって、収容したカップ１００をより安定した状態で持ち運ぶことができるカップホルダー１を提供できる。
【００３４】
また、組み立てられ、カップ１００を収容した状態において、一対のホールド部２０の欠き込み２０ａの間から、カップ１００の一部が露出するので、収容したカップ１００を取り出し易くなる。
したがって、収容したカップ１００をより安定した状態で持ち運ぶことができ、収容したカップ１００の取り出しが容易なカップホルダー１を提供できる。
【００３５】
なお、本考案は前記実施形態に限定されるものではなく、本考案の目的を達成できる範囲での変形、改良等は本考案に含まれるものである。
【符号の説明】
【００３６】
１    カップホルダー
１１  挿入孔
１０  カップ保持部
２０  ホールド部
２２  切り込み
３１  第１折り曲げ線
３２  第２折り曲げ線
【図１】
0003203356.tif 000003
【図２】
0003203356.tif 000004
【図３】
0003203356.tif 000005
【図４】
0003203356.tif 000006